(57)【要約】【課題】ブラインドタイムスロットから送信タイムスロットに切り替わってからも電圧制御発振回路の発振周波数が変化しないようにする。【解決手段】所定の送信スロットで送信する送信回路５と、ＰＬＬ回路３によって発振周波数が制御されると共に、変調データによって発振信号を直接ＦＭ変調する電圧制御発振回路２とを備え、送信回路５に対しては送信スロットにおける、電圧制御発振回路２がＰＬＬ回路３によってロックされるブラインドタイムスロットの期間で電源電圧の供給を停止すると共に、ブラインドタイムスロットに続く、電圧制御発振回路２がＰＬＬ回路３によってロック解除されている送信タイムスロットの期間では送信回路５の電源電圧を供給し、送信タイムスロットの期間では変調データの直流レベルをブラインドタイムスロットの期間におけるそれよりも高く又は低くした。【選択図】        図１
2004159207.tif 000002
【特許請求の範囲】
【請求項１】
所定の送信スロットで送信する送信回路と、ＰＬＬ回路によって発振周波数が制御されると共に、変調データによって発振信号を直接ＦＭ変調する電圧制御発振回路とを備え、前記送信スロットにおける前記電圧制御発振回路が前記ＰＬＬ回路によってロックされるブラインドタイムスロットの期間では前記送信回路への電源電圧の供給を停止し、前記ブラインドタイムスロットに続く、前記電圧制御発振回路が前記ＰＬＬ回路によってロックされない送信タイムスロットの期間では前記送信回路に電源電圧を供給し、前記送信タイムスロットの期間では前記変調データの直流レベルを前記ブラインドタイムスロットの期間におけるそれよりも高く又は低くしたことを特徴とする無線通信装置。
【請求項２】
前記電圧制御発振回路にはレベル変換回路を介して前記変調データを入力し、前記レベル変換回路から出力される送信データの直流レベルを前記ブラインドタイムスロットの期間と前記送信タイムスロットの期間とで互いに異ならせたことを特徴とする請求項１に記載の無線通信装置。
【請求項３】
前記レベル変換回路は直列接続された第一及び第二の抵抗回路と、前記第一又は第二の抵抗回路のいずれか一方に並列接続された第三の抵抗回路からなり、前記第三の抵抗回路に直列に第一のスイッチを介挿し、前記第一のスイッチの開閉状態を前記ブラインドタイムスロットの期間と前記送信タイムスロットの期間とで互いに異ならせたことを特徴とする請求項２に記載の無線通信装置。
【請求項４】
前記レベル変換回路は直列接続された第一及び第二の抵抗回路と、前記第一又は第二の抵抗回路のいずれか一方に並列接続された第三の抵抗回路と、前記第三の抵抗回路に並列接続された第四の抵抗回路とからなり、前記第三の抵抗回路の抵抗値と前記第四の抵抗回路の抵抗値とを異ならせ、前記第三の抵抗回路に直列に第一のスイッチを介挿すると共に、前記第四の抵抗回路に前記第一のスイッチと同じ構成の第二のスイッチを介挿し、いずれか一方のスイッチには前記ブラインドタイムスロットの期間と前記送信タイムスロットの期間とで互いに異なるレベルの切替信号を入力し、他方のスイッチにはインバータを介して前記切替信号を入力したことを特徴とする請求項２に記載の無線通信装置。
【発明の詳細な説明】
【０００１】
【発明の属する技術分野】
この発明は、時分割多元接続（ＴＤＭＡ）による携帯電話等の無線通信装置に関する。
【０００２】
【従来の技術】
従来の構成では、図５に示すように変調部２１の電圧制御発振器２２は位相制御回路２３、ローパスフィルタ２４からなるＰＬＬ回路からの制御電圧によって発振周波数が制御されている。デジタル信号源２５から出力された変調信号（デジタル信号）がスイッチ２６、バイアス電圧供給回路２７を介して制御電圧と共に電圧制御発振器２２のバラクタダイオード２２ａに印加される。よって、電圧制御発振器２２からはＦＳＫ変調された送信信号が出力され、電力増幅器２８、送受切替回路２９を介してアンテナ３０に出力される。
【０００３】
送受切替回路２９は送信スロットの期間ではアンテナ３０を電力増幅器２８に接続し、受信スロットの期間では受信回路（ＲＸ）３１に接続する。また、スイッチ２６は送信スロットの期間におけるブラインドタイムスロットの期間ではオフとなり、ブラインドスロットタイムに続く送信タイムスロットの期間ではオンとなる。また、位相制御回路２３はブラインドタイムスロットの期間では動作状態となって電圧制御発振器２２はＰＬＬロックされ、送信タイムスロットの期間では非動作状態となり、電圧制御発振器２２はロック解除され、変調動作が行われる。電圧制御発振器２２はロック解除されてもそれまで印加されていた制御電圧がローパスフィルタ２４等に充電されているので、ほぼロック解除時の発振周波数を維持する。但し、時間の経過にともなって僅か変化する（例えば、特許文献１参照。）。
【０００４】
【特許文献１】
特開平１１−２２５０９０号公報（図１参照）
【０００５】
【発明が解決しようとする課題】
上記の構成では、通常電力増幅器２８は送信タイムスロットの期間だけ電源電圧が印加されて動作状態とな、それ以外の期間（受信スロット及びブラインドタイムスロット）では電源電圧の供給を停止する。これによって電力消費を少なくしている。よって、電力増幅器２８にはブラインドタイムスロットの期間が終了した時点で電源電圧が印加される。
【０００６】
電力増幅器２８には大電流が流れるので、電源電圧の印加時に電源電圧が変動する。この変動はＰＬＬロックが解除されている電圧制御発振器２２の発振周波数を変化させるため送信周波数が変化するという問題がある。発振周波数が変化する方向は電圧制御発振器２２の回路定数に依存するため一定せず、高い方に変化することもあれば低い方に変化することもある。
【０００７】
本発明は、ブラインドタイムスロットから送信タイムスロットに切り替わってからも電圧制御発振回路の発振周波数が変化しないようにすることをねらいとしている。
【０００８】
【課題を解決するための手段】
本発明は、所定の送信スロットで送信する送信回路と、ＰＬＬ回路によって発振周波数が制御されると共に、変調データによって発振信号を直接ＦＭ変調する電圧制御発振回路とを備え、前記送信スロットにおける前記電圧制御発振回路が前記ＰＬＬ回路によってロックされるブラインドタイムスロットの期間では前記送信回路への電源電圧の供給を停止し、前記ブラインドタイムスロットに続く、前記電圧制御発振回路が前記ＰＬＬ回路によってロックされない送信タイムスロットの期間では前記送信回路に電源電圧を供給し、前記送信タイムスロットの期間では前記変調データの直流レベルを前記ブラインドタイムスロットの期間におけるそれよりも高く又は低くした。
【０００９】
また、前記電圧制御発振回路にはレベル変換回路を介して前記変調データを入力し、前記レベル変換回路から出力される送信データの直流レベルを前記ブラインドタイムスロットの期間と前記送信タイムスロットの期間とで互いに異ならせた。
【００１０】
また、前記レベル変換回路は直列接続された第一及び第二の抵抗回路と、前記第一又は第二の抵抗回路のいずれか一方に並列接続された第三の抵抗回路からなり、前記第三の抵抗回路に直列に第一のスイッチを介挿し、前記第一のスイッチの開閉状態を前記ブラインドタイムスロットの期間と前記送信タイムスロットの期間とで互いに異ならせた。
【００１１】
また、前記レベル変換回路は直列接続された第一及び第二の抵抗回路と、前記第一又は第二の抵抗回路のいずれか一方に並列接続された第三の抵抗回路と、前記第三の抵抗回路に並列接続された第四の抵抗回路とからなり、前記第三の抵抗回路の抵抗値と前記第四の抵抗回路の抵抗値とを異ならせ、前記第三の抵抗回路に直列に第一のスイッチを介挿すると共に、前記第四の抵抗回路に前記第一のスイッチと同じ構成の第二のスイッチを介挿し、いずれか一方のスイッチには前記ブラインドタイムスロットの期間と前記送信タイムスロットの期間とで互いに異なるレベルの切替信号を入力し、他方のスイッチにはインバータを介して前記切替信号を入力した。
【００１２】
【発明の実施の形態】
本発明の無線通信装置の構成を図１及び図２によって説明する。先ず、図１において、送信データはレベル変換回路１を介して電圧制御発振回路２に入力される。送信データは直流電圧に重畳された二値レベルで構成されている。
【００１３】
レベル変換回路１は図２に示すように、第一の抵抗回路１ａと、それに直列接続された第二の抵抗回路１ｂと、第一の抵抗回路１ａまたは第二の抵抗回路１ｂに並列に接続された第三の抵抗回路１ｃと、第三の抵抗回路１ｃに直列に介挿されたスイッチ１ｄとからなる。レベル変換された送信データは第一の抵抗回路１ａと第二の抵抗回路１ｂとの接続点から出力される。出力される送信データの直流レベルはスイッチ１ｄの開閉状態によって変換され、電圧制御発振回路２のバラクタダイオード２ａに印加される。なお、第三の抵抗回路１ｃを第一の抵抗回路１ａに並列接続してもよい。
【００１４】
電圧制御発振回路２はＰＬＬ回路３から出力される制御電圧によって発振周波数が設定される。制御電圧はレベル変換回路１から出力される送信データと共にバラクタダイオード２ａに印加される。この結果、電圧制御発振回路２からはＦＳＫ変調された送信信号が出力される。よって、電圧制御発振回路２は直接ＦＭ変調回路を構成する。
【００１５】
電圧制御発振回路２から出力される送信信号は逓倍回路４によって逓倍され、送信回路５に入力される。送信回路５には電源スイッチ６を介して電源電圧が供給される。送信信号は電力増幅回路５ａによって増幅され、アンテナ切替回路７を介してアンテナ８に出力される。
【００１６】
アンテナ８で受信された受信信号はアンテナ切替回路７を介して受信回路９に入力される。受信回路９には周波数変換用のミキサ９ａが設けられ、ミキサ９ａには逓倍回路４から局部発振信号が供給される。よって、ミキサ９ａから中間周波信号が出力される。中間周波信号は受信回路９内の復調回路（図示せず）によって受信データに変換される。
【００１７】
以上の構成における動作を説明する。なお、この実施形態では電力増幅回路５ａに電源電圧が印加されたときに電圧制御発振回路２の発振周波数が高い方に変化するという仮定のもとに説明する。ＴＤＭＡ方式そのものは周知であるので詳細説明は省略するが、特定の無線通信装置では図３のＡに示すように、割り当てられた所定の送信スロットと受信スロットとが交互に切り替わり、送信スロットと受信スロットとの間には他の無線通信装置の送信スロット又は受信スロットが交互に割り当てられる。アンテナ切替回路７はアンテナ８を送信スロットの期間では送信回路５に接続し、受信スロットの期間では受信回路９に接続する。
【００１８】
送信スロットは図３のＢに示すように、ブラインドタイムスロットとそれに続く送信タイムスロットとからなり、ブラインドタイムスロットの期間ではＰＬＬ回路３が動作しているので、電圧制御発振回路２はＰＬＬ回路３によってロックされ（図３のＣ）、所定の周波数で発振する。また、ブラインドタイムスロットの期間では電源スイッチ６がオフ状態であり（図３のＤ）、送信回路５又は電力増幅回路５ａへの電源電圧の供給が停止されている。さらに、レベル変換回路１におけるスイッチ１ｄはオフとなっており、送信データは第一の抵抗回路１ａと第二の抵抗回路１ｂとによって分圧される。そのときの直流レベルＥ１である送信データがバラクタダイオード２ａに印加される。しかし、電力増幅回路５ａが動作停止しているのでアンテナ８からは送信信号が出力されない。
【００１９】
送信タイムスロットでは、例えばＰＬＬ回路３への電源電圧供給が停止されてロックが解除される。ロックの解除状態ではそれまで印加されていた制御電圧がＰＬＬ回路３に充電されているので、発振周波数はロック状態のときとほぼ同じように維持されている。
【００２０】
ブラインドタイムスロットから送信タイムスロットに切り替わってから間もなく電源スイッチ６がオンとなり、電力増幅回路５ａに電源電圧が供給される（図３のＤ）。このときの電源電圧の変動等によって電圧制御発振回路２自体の発振周波数は高い方に変化しようとする。しかし、電力増幅回路５ａへの電源電圧供給開始と同時にレベル変換回路１のスイッチ１ｄもオンとなる。すると、送信データの直流レベルはＥ１からＥ２に下がる（図３のＥ）。この送信データが制御電圧に重畳されてバラクタダイオード２ａに印加されが従前よりは低くなる。よって、発振周波数が低い方に変化して元の発振周波数に戻る。
【００２１】
もし、電圧制御発振回路２自体の発振周波数が、電源電圧の変化によって低い方に変化するものでるときには、スイッチ１ｄの動作を逆にして、電源スイッチ６のオン時にオフとし、電源スイッチ６のオフ時にオンとすればよい。
【００２２】
なお、図４はレベル変換回路の他の構成を示し、第一の抵抗回路１ａに直列接続された第二の抵抗回路１ｂには第三の抵抗回路１ｃと第一のスイッチ１ｄとの直列回路を並列接続し、この直列回路に対して第四の抵抗回路１ｅと第二のスイッチ１ｆとの直列回路を並列接続する。第三の抵抗回路１ｃの抵抗値と第四の抵抗回路１ｅの抵抗値とは異なる。また、第一のスイッチ１ｄと第二のスイッチ１ｆとは同じ構成である。そして、ブラインドタイムスロットの期間と送信タイムスロットの期間とで互いに異なるレベルの切替信号を一方のスイッチ（例えば第二のスイッチ１ｆ）に入力し、他方のスイッチ（例えば第一のスイッチ１ｄ）にはインバータ１ｇを介して入力する。よって、切替信号のレベルを逆転するだけで変調データを高い方又は低い方へレベル変換できる。
【００２３】
【発明の効果】
以上説明したように、送信回路に対しては送信スロットにおけるブラインドタイムスロットの期間で電源電圧の供給を停止すると共に、ブラインドタイムスロットに続く送信タイムスロットの期間では電源電圧供給を供給し、送信タイムスロットの期間では変調データの直流レベルをブラインドタイムスロットの期間におけるそれよりも高く又は低くしたので、この送信データがＰＬＬ回路で作られた制御電圧と共に電圧制御発振回路に印加される。よって、電圧制御発振回路を従前までの発振周波数で発振させることができて送信周波数の変化を無くすことができる。
【００２４】
また、直接ＦＭ変調回路にはレベル変換回路を介して変調データを入力し、レベル変換回路から出力される送信データの直流レベルをブラインドタイムスロットの期間と送信タイムスロットの期間とで互いに異ならせたので、レベル変換回路の制御だけで簡単に送信データの直流レベルを変えられる。
【００２５】
また、レベル変換回路は直列接続された第一及び第二の抵抗回路と、第一又は第二の抵抗回路のいずれか一方に並列接続された第三の抵抗回路からなり、第三の抵抗回路に直列に第一のスイッチを介挿し、第一のスイッチの開閉状態をブラインドタイムスロットの期間と送信タイムスロットの期間とで互いに異ならせたので、スイッチによってレベル変換回路の分圧比が変えられ、送信データの直流レベルが代わる。
【００２６】
また、前記第一又は第二の抵抗回路のいずれか一方に並列接続された第三の抵抗回路と、第三の抵抗回路に並列接続された第四の抵抗回路とからなり、第三の抵抗回路の抵抗値と第四の抵抗回路の抵抗値とを異ならせ、第三の抵抗回路に直列に第一のスイッチを介挿すると共に、第四の抵抗回路に前記第一のスイッチと同じ構成の第二のスイッチを介挿し、いずれか一方のスイッチにはブラインドタイムスロットの期間と送信タイムスロットの期間とで互いに異なるレベルの切替信号を入力し、他方のスイッチにはインバータを介して切替信号を入力したので、切替信号のレベルを逆転するだけで変調データを高い方又は低い方へレベル変換できる。
【図面の簡単な説明】
【図１】本発明の無線通信装置の構成を示す回路図である。
【図２】本発明の無線通信装置におけるレベル変換回路の構成を示す回路図である。
【図３】本発明の無線通信装置の動作を説明するタイミングチャートである。
【図４】本発明の無線通信装置におけるレベル変換回路の他の構成を示す回路図である。
【図５】従来の無線通信装置の構成を示す回路図である。
【符号の説明】
１  レベル変換回路
１ａ  第一の抵抗回路
１ｂ  第二の抵抗回路
１ｃ  第三の抵抗回路
１ｄ  第一のスイッチ
１ｅ  第四の抵抗回路
１ｆ  第二のスイッチ
１ｇ  インバータ
２  電圧制御発振回路
２ａ  バラクタダイオード
３  ＰＬＬ回路
４  逓倍回路
５  送信回路
５ａ  電力増幅回路
６  電源スイッチ
７  アンテナ切替回路
８  アンテナ
９  受信回路
９ａ  ミキサ
【図１】
2004159207.tif 000003
【図２】
2004159207.tif 000004
【図３】
2004159207.tif 000005
【図４】
2004159207.tif 000006
【図５】
2004159207.tif 000007